(57)【要約】【課題】移動型広告装置の位置に対応した広告内容を取得して表示することが可能な移動型広告装置および移動型広告方法を提供する。【解決手段】移動型広告装置は、電子ペーパーと、表示制御ユニットと、測位信号を受信し、測位信号に基づいて移動型広告装置の現在位置を生成させる測位ユニットと、サーバと無線通信し、サーバへ現在位置を送信する無線通信ユニットと、無線通信ユニットを介し、現在位置に対応した少なくとも１つの店の少なくとも１つの広告をサーバから取得し、表示制御ユニットにより店の広告を電子ペーパー上へ表示する広告モジュールを有する処理ユニットとを備える。【選択図】図１
2010164928.tif 000002
【特許請求の範囲】
【請求項１】
電子ペーパーと、
表示制御ユニットと、
測位信号を受信し、前記測位信号に基づいて移動型広告装置の現在位置を生成させる測位ユニットと、
サーバと無線通信し、前記サーバへ前記現在位置を送信する無線通信ユニットと、
前記無線通信ユニットを介し、前記現在位置に対応した少なくとも１つの店の少なくとも１つの広告を前記サーバから取得し、前記表示制御ユニットにより前記店の広告を前記電子ペーパー上へ表示する広告モジュールを有する処理ユニットと、を備える移動型広告装置。
【請求項２】
前記処理ユニットは、
前記無線通信ユニットを介し、前記移動型広告装置に対応した店方向を前記サーバーから取得し、前記表示制御ユニットにより前記電子ペーパー上に前記店方向を示す方向モジュールをさらに備える請求項１に記載の移動型広告装置。
【請求項３】
前記処理ユニットは、
前記無線通信ユニットを介し、前記移動型広告装置から店までの現在距離を前記サーバーから取得し、前記表示制御ユニットにより前記電子ペーパー上に前記現在距離を表示する距離モジュールをさらに備える請求項１に記載の移動型広告装置。
【請求項４】
少なくとも１つの予備保存広告を保存する保存ユニットをさらに備え、
前記処理ユニットは、前記広告モジュールが前記店の広告を取得しないとき、前記表示制御ユニットにより前記電子ペーパー上に前記予備保存広告を表示する請求項１に記載の移動型広告装置。
【請求項５】
前記処理ユニットは、前記店の広告を前記予備保存広告として前記保存ユニットへ保存する予備保存モジュールをさらに備える請求項４に記載の移動型広告装置。
【請求項６】
少なくとも１つの移動型広告装置が行う移動型広告方法であって、
測位信号に基づき、前記移動型広告装置の現在位置を生成するステップと、
前記現在位置に基づき、前記移動型広告装置の前記現在位置に対応した少なくとも１つの店の少なくとも１つの広告をサーバから取得するステップと、
前記移動型広告装置の電子ペーパー上に前記店の広告を表示するステップと、を含む移動型広告方法。
【請求項７】
前記現在位置に基づき、前記サーバから店方向を取得するステップと、
前記電子ペーパーへ前記店方向を表示するステップと、をさらに含む請求項６に記載の移動型広告方法。
【請求項８】
前記現在位置に基づき、前記サーバから前記店の現在距離を取得するステップと、
前記電子ペーパー上に前記現在距離を表示するステップと、をさらに含む請求項６に記載の移動型広告方法。
【請求項９】
前記店の広告を取得するか否かを判断するステップと、
前記店の広告を取得しないとき、前記移動型広告装置の保存ユニットから予備保存広告を取得し、前記電子ペーパー上に前記予備保存広告を表示するステップと、
前記予備保存広告として前記店の広告を前記移動型広告装置の前記保存ユニットへ保存するステップと、をさらに含む請求項６に記載の移動型広告方法。
【請求項１０】
前記サーバが実行するステップは、
前記移動型広告装置の前記現在位置を受信するステップと、
前記移動型広告装置の前記現在位置に基づき、前記移動型広告装置の前記現在位置に対応した前記店の広告を前記サーバの保存ユニットから選択するステップと、
前記移動型広告装置へ前記店の広告を送信し、前記移動型広告装置の前記電子ペーパー上に前記店の広告を表示するステップと、
前記移動型広告装置の作業情報を記録するステップと、を含む請求項６に記載の移動型広告方法。
【発明の詳細な説明】
【技術分野】
【０００１】
本発明は表示装置に関し、特に位置センサを有する広告表示装置に関する。
【背景技術】
【０００２】
我々は日常生活において様々な移動型広告媒体（例えば、移動型広告用ライトボックス、車体広告、展示場などで使用する持ち運び可能な看板など）を街でよく見かける。これら移動型広告媒体は、どの場所でも同じ内容の広告を繰り返す。一方、このような移動型広告媒体の広告内容を設定したり新たに製作したりすることは広告メーカにしかできず、自由に変更することができなかった。このように、従来の移動型広告媒体は、その環境およびターゲットとなる消費者の分布に応じて広告内容を変更することができなかったため、広告効果が好ましくなかった。また、従来の広告は、広告主が時間帯に応じた広告内容に変更すること（例えば、タイムセールスの広告宣伝）もできず、即時性を備えていなかった。
【０００３】
また、広告内容をリアルタイムで変更することが可能な大型テレビスクリーンなどの広告媒体は、体積が大きすぎる上に固定された場所に予め設置しなければならなかった。そのため、従来の広告媒体は、広告主の必要に応じて広告媒体を設置する場所をリアルタイムで変更することができない上、一旦設置すると容易に設置場所を変更することができなかった。つまり、従来の広告媒体は、広告効果が悪い場合、その広告を取り外して他の場所へ新たに設置する以外に方法は無かった。そのため、従来の広告媒体は設置コストが非常に高かった。
【発明の概要】
【発明が解決しようとする課題】
【０００４】
本発明の目的は、移動型広告装置の位置に対応した広告内容を取得して表示することが可能な移動型広告装置および移動型広告方法を提供することにある。
【課題を解決するための手段】
【０００５】
上記課題を解決するために、本発明の第１の形態によれば、電子ペーパーと、表示制御ユニットと、測位信号を受信し、前記測位信号に基づいて移動型広告装置の現在位置を生成させる測位ユニットと、サーバと無線通信し、前記サーバへ前記現在位置を送信する無線通信ユニットと、前記無線通信ユニットを介し、前記現在位置に対応した少なくとも１つの店の少なくとも１つの広告を前記サーバから取得し、前記表示制御ユニットにより前記店の広告を前記電子ペーパー上へ表示する広告モジュールを有する処理ユニットと、を備える移動型広告装置が提供される。
【０００６】
また、前記処理ユニットは、前記無線通信ユニットを介し、前記移動型広告装置に対応した店方向を前記サーバーから取得し、前記表示制御ユニットにより前記電子ペーパー上に前記店方向を示す方向モジュールをさらに備えることが好ましい。
【０００７】
また、前記処理ユニットは、前記無線通信ユニットを介し、前記移動型広告装置から店までの現在距離を前記サーバーから取得し、前記表示制御ユニットにより前記電子ペーパー上に前記現在距離を表示する距離モジュールをさらに備えることが好ましい。
【０００８】
また、少なくとも１つの予備保存広告を保存する保存ユニットをさらに備え、前記処理ユニットは、前記広告モジュールが前記店の広告を取得しないとき、前記表示制御ユニットにより前記電子ペーパー上に前記予備保存広告を表示することが好ましい。
【０００９】
また、前記処理ユニットは、前記店の広告を前記予備保存広告として前記保存ユニットへ保存する予備保存モジュールをさらに備えることが好ましい。
【００１０】
また、本発明の第２の形態によれば、少なくとも１つの移動型広告装置が行う移動型広告方法であって、測位信号に基づき、前記移動型広告装置の現在位置を生成するステップと、前記現在位置に基づき、前記移動型広告装置の前記現在位置に対応した少なくとも１つの店の少なくとも１つの広告をサーバから取得するステップと、前記移動型広告装置の電子ペーパー上に前記店の広告を表示するステップと、を含む移動型広告方法が提供される。
【００１１】
また、前記現在位置に基づき、前記サーバから店方向を取得するステップと、前記電子ペーパーへ前記店方向を表示するステップと、をさらに含むことが好ましい。
【００１２】
また、前記現在位置に基づき、前記サーバから前記店の現在距離を取得するステップと、前記電子ペーパー上に前記現在距離を表示するステップと、をさらに含むことが好ましい。
【００１３】
また、前記店の広告を取得するか否かを判断するステップと、前記店の広告を取得しないとき、前記移動型広告装置の保存ユニットから予備保存広告を取得し、前記電子ペーパー上に前記予備保存広告を表示するステップと、前記店の広告を前記予備保存広告として前記移動型広告装置の前記保存ユニットへ保存するステップと、をさらに含むことが好ましい。
【００１４】
また、前記サーバが実行するステップは、前記移動型広告装置の前記現在位置を受信するステップと、前記移動型広告装置の前記現在位置に基づき、前記移動型広告装置の前記現在位置に対応した前記店の広告を前記サーバの保存ユニットから選択するステップと、前記移動型広告装置へ前記店の広告を送信し、前記移動型広告装置により前記電子ペーパー上に前記店の広告を表示するステップと、前記移動型広告装置の作業情報を記録するステップと、を含むことが好ましい。
【発明の効果】
【００１５】
以上の説明から明らかなように、本発明の移動型広告装置は、その現在位置に応じた店の広告を表示することができる。さらに、本発明の移動型広告装置は、衣服、カバンまたはその他身に付けることが可能な物品に電子ペーパーを内嵌させ、広告を表示することができる。このように、広告を行う者が移動型広告装置を身に付けて街を歩くことにより、良好な広告効果を得ることができる。
【図面の簡単な説明】
【００１６】
【図１】本発明の第１実施形態による移動型広告システムを示す機能ブロック図である。
【図２】本発明の第２実施形態による移動型広告方法を示す流れ図である。
【図３】本発明の第３実施形態による移動型広告方法を示す流れ図である。
【発明を実施するための形態】
【００１７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１８】
（第１実施形態）
図１を参照する。図１は、本発明の第１実施形態による移動型広告システムを示す機能ブロック図である。移動型広告システムは、移動型広告装置１００およびサーバ２００を含む。移動型広告装置１００は、移動型広告装置１００の現在位置に応じた店の広告をサーバ２００から取得して表示する。
【００１９】
移動型広告装置１００は、電子ペーパー（Ｅ−ｐａｐｅｒ）１１０、表示制御ユニット１２０、測位ユニット１３０、無線通信ユニット１４０および処理ユニット１５０を含む。測位ユニット１３０は、測位信号を受信し、この測位信号に基づいて移動型広告装置１００の現在位置を生成させる。無線通信ユニット１４０は、サーバ２００と無線通信を行い、サーバ２００へ移動型広告装置１００の現在位置を送信する。処理ユニット１５０が無線通信ユニット１４０を介して移動型広告装置１００の現在位置に対応した少なくとも１つの店の少なくとも１つの広告をサーバ２００から取得した後、表示制御ユニット１２０により電子ペーパー１１０上に店の広告１１１を表示する。
【００２０】
測位ユニット１３０は、グローバル・ポジショニング・システム（Ｇｌｏｂａｌ  Ｐｏｓｉｔｉｏｎｉｎｇ  Ｓｙｓｔｅｍ：ＧＰＳ）、援助ＧＰＳ（Ａｓｓｉｓｔｅｄ  Ｇｌｏｂａｌ  Ｐｏｓｉｔｉｏｎｉｎｇ  Ｓｙｓｔｅｍ：ＡＧＰＳ）、セルＩＤ（ｃｅｌｌ−ＩＤ）、到着角（Ａｎｇｌｅ  ｏｆ  Ａｒｒｉｖａｌ：ＡｏＡ）、到着時間（Ｔｉｍｅ  ｏｆ  Ａｒｒｉｖａｌ：ＴｏＡ）、到達時間差（Ｔｉｍｅ  Ｄｉｆｆｅｒｅｎｃｅ  ｏｆ  Ａｒｒｉｖａｌ：ＴＤｏＡ）、ＲＦＩＤ（Ｒａｄｉｏ  Ｆｒｅｑｕｅｎｃｙ  Ｉｄｅｎｔｉｆｉｃａｔｉｏｎ）またはその他の測位方式に必要な測位信号を利用し、現在位置を生成させる。無線通信ユニット１４０は、３Ｇ、３．５Ｇ、４Ｇ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（登録商標）、ＬＴＥ（Ｌｏｎｇ  Ｔｅｒｍ  Ｅｖｏｌｕｔｉｏｎ）、ＷｉＦｉ（登録商標）、ＩＥＥＥ８０２．１１、Ｂｌｕｅｔｏｏｔｈ（登録商標）、ＺｉｇＢｅｅ（登録商標）またはその他の無線通信方式によりサーバ２００と通信することができる。このように、移動型広告装置１００は、移動型広告装置１００の現在位置に対応した店の広告を取得して表示することができる。また、電子ペーパー１１０は、軽量で薄型である上に折り曲げることができるため、衣服３００上に移動型広告装置１００を内嵌させることができる。また、他の実施形態では、他の物品（例えば、カバン、帽子またはその他身に付けることが可能な物品）上に移動型広告装置１００を内嵌し、その表面に電子ペーパー１１０を設けてもよい。
【００２１】
さらに、処理ユニット１５０は、方向モジュール１５２、距離モジュール１５３、選択モジュール１５４または予備保存モジュール１５５を含んでもよい。方向モジュール１５２は、無線通信ユニット１４０を介し、サーバ２００から店方向を取得する。その後、方向モジュール１５２は、表示制御ユニット１２０を介して電子ペーパー１１０上に店方向１１２を表示する。つまり、電子ペーパー１１０上に表示された店方向１１２に従うと店に行くことができる。
【００２２】
距離モジュール１５３は、無線通信ユニット１４０を介して移動型広告装置１００から店までの距離（現在距離１１３）をサーバ２００から取得する。その後、距離モジュール１５３は、表示制御ユニット１２０により電子ペーパー１１０上に現在距離１１３を表示する。
【００２３】
選択モジュール１５４が取得する店の広告の数が複数である場合、表示制御ユニット１２０によりそのうちの１つを選択して電子ペーパー１１０上に表示する。つまり、移動型広告装置１００は、サーバ２００から複数の店の広告を同時に取得した後、そのうちの１つを選択して電子ペーパー１１０上に表示することができる。
【００２４】
予備保存モジュール１５５は、移動型広告装置１００の保存ユニット１６０へ予備保存広告として店の広告を保存するために用いる。広告モジュール１５１が店の広告を取得しない場合、処理ユニット１５０は、表示制御ユニット１２０を利用して保存ユニット１６０中に予め保存した広告を電子ペーパー１１０上へ表示する。つまり、移動型広告装置１００は、無線通信ユニット１４０を介してサーバ２００と通信しても店の広告を取得することができないとき、保存ユニット１６０に予め保存しておいた予備保存広告を表示することができる。さらに、測位ユニット１３０が測位信号を取得できない場合、広告モジュール１５１も移動型広告装置１００の現在位置を取得することができないため、移動型広告装置１００の現在位置に対応した店の広告を取得することができない。この際、処理ユニット１５０は、表示制御ユニット１２０により、保存ユニット１６０中に保存されている予備保存広告を電子ペーパー１１０上に表示する。
【００２５】
上述したことから分かるように、サーバ２００から店の広告、店方向および現在距離のそれぞれを取得することができるため、移動型広告装置１００の処理ユニット１５０は、複雑な演算を行う必要がなく、簡単なマイクロプロセッサを採用することができる。そのため、移動型広告装置１００を小型化して消費電力を低減させることができる上、携帯性も高めることができる。
【００２６】
一方、サーバ２００は、保存ユニット２１０、無線通信ユニット２２０および処理ユニット２３０を含む。保存ユニット２１０は、少なくとも１つの広告情報を含む。この広告情報は、広告情報に対応した店に関する所在地情報（例えば、店の座標、住所またはその他所在地に関する情報）を含む。無線通信ユニット２２０は、移動型広告装置１００と無線通信を行い、移動型広告装置１００から移動型広告装置１００の現在位置を受信するために用いる。処理ユニット２３０は、広告生成モジュール２３１を含んでもよい。広告生成モジュール２３１は、移動型広告装置１００の現在位置と、広告情報の店の所在地に関する情報とを比較し、移動型広告装置１００の現在位置に対応した少なくとも１つの店の少なくとも１つの広告を選択する。その後、移動型広告装置１００は、無線通信ユニット２２０を介して広告生成モジュール２３１から店の広告を受信し、電子ペーパー１１０上に店の広告を表示する。
【００２７】
サーバ２００は、処理ユニット２３０の増加モジュール２３４により増やしたい店の広告を取得し、保存ユニット２１０へ広告情報として加える。この増加モジュール２３４が増やしたい店の広告を取得する方式としては、光ディスク装置、インターネットまたはその他のデータ転送方式を利用することができる。つまり、サーバ２００は、増加モジュール２３４によりサーバ２００の保存ユニット２１０へ新たな広告を加えることができる。
【００２８】
サーバ２００は、処理ユニット２３０のセレクトモジュール２３５により、サーバ２００のユーザインタフェース２５０から取得したセレクト信号に基づき、保存ユニット２１０中の特定の広告を選択して移動型広告装置１００へ送信し、電子ペーパー１１０上に特定の広告を表示する。また、ユーザは、ユーザインタフェース２５０を介して指定した移動型広告装置上へ送信したい広告を自ら選択することもできる。
【００２９】
さらに、サーバ２００は、ユーザインタフェース２５０を介し、処理ユニット２３０の編集モジュール２３６から広告編集信号を取得することもできる。この広告編集信号に基づき、保存ユニット２１０中に保存した店の広告情報の編集（例えば、削除または修正）を行う。言い換えれば、ユーザはユーザインタフェース２５０を介し、サーバ２００の編集モジュール２３６により、保存ユニット２１０中に保存した店の広告情報の編集を行うことができる。
【００３０】
さらに、サーバ２００は、増加モジュール２３４により電子ペーパーを有する電子装置を検出し、この検出した電子装置を移動型広告装置１００として増やす。サーバ２００は、編集モジュール２３６によりユーザインタフェース２５０から装置編集信号を取得し、この装置編集信号に基づいて移動型広告装置１００の作業情報の編集（例えば、修正または削除）を行う。このように、サーバ２００は、増加および編集の機能により、移動型広告装置１００を管理することができる。
【００３１】
サーバ２００は、３Ｇ、３．５Ｇ、４Ｇ、ＷｉＭＡＸ（登録商標）、ＬＴＥ、ＷｉＦｉ（登録商標）、ＩＥＥＥ８０２．１１、Ｂｌｕｅｔｏｏｔｈ（登録商標）、ＺｉｇＢｅｅ（登録商標）またはその他の無線通信方式を利用し、無線通信ユニット２２０を介して移動型広告装置１００の現在位置に対応した店の広告を移動型広告装置１００へ送信することができる。
【００３２】
また、処理ユニット２３０は、方向生成モジュール２３２または距離生成モジュール２３３を含んでもよい。方向生成モジュール２３２は、移動型広告装置１００の現在位置および広告を行う店の所在地情報に基づき、移動型広告装置に対して店方向１１２を生成する。その後、方向生成モジュール２３２は、無線通信ユニット２２０を介して移動型広告装置１００へ店方向１１２を送信し、移動型広告装置１００の電子ペーパー１１０上に店方向１１２を表示する。
【００３３】
距離生成モジュール２３３は、移動型広告装置１００の現在位置および広告を行う店の所在地情報に基づき、移動型広告装置１００から店までの距離（現在距離１１３）を生成する。その後、距離生成モジュール２３３は、無線通信ユニット２２０を介して移動型広告装置１００へ現在距離１１３を送信し、移動型広告装置１００の電子ペーパー１１０上に現在距離１１３を表示する。
【００３４】
移動型広告装置１００は携帯することが可能なため、移動型広告装置１００を移動型広告看板として利用することができる。具体的には、従業員が移動型広告装置１００の現在位置に対応した店の広告を表示する移動型広告装置１００を身に付けて外を歩く。そのため、サーバ２００は、移動型広告装置１００の作業情報の記録または分析に用いる記録ユニット２４０を含んでもよい。この移動型広告装置１００の作業情報は、移動型広告装置１００の識別情報、移動ルート、表示した広告数およびそのリスト、各広告の表示累計時間、各広告を表示した地域またはその他の作業に関する情報を含んでもよい。このように、サーバ２００が記録した作業情報に基づき、各店に請求する広告費用を計算したり、移動型広告装置１００を身に付けて広告の仕事を行った従業員の給料を計算したりすることができる。さらに、移動型広告装置の作業情報を分析し、広告生成モジュール２３１により選択される広告を変更したりすることができる。
【００３５】
（第２実施形態）
図２を参照する。図２は、本発明の第２実施形態による移動型広告方法を示す流れ図である。移動型広告方法４００を移動型広告装置が行うと、移動型広告装置の現在位置に対応した店の広告を移動型広告装置の電子ペーパー上へ表示することができる。移動型広告装置が行う移動型広告方法４００は、以下のステップを含む。
【００３６】
測位信号に基づき、移動型広告装置の現在位置を生成する（ステップ４０２）。この測位信号は、グローバル・ポジショニング・システム、援助ＧＰＳ、セルＩＤ、ＡｏＡ、ＴｏＡ、ＴＤｏＡ、ＲＦＩＤまたはその他の測位方式が使用する測位信号でもよい。
【００３７】
移動型広告装置の現在位置に基づき、移動型広告装置の現在位置に対応した少なくとも１つの店の少なくとも１つの広告をサーバから取得する（ステップ４０４）。サーバは、移動型広告装置の現在位置を受信すると、受信した現在位置に基づき、対応した店の広告を選択して移動型広告装置へ送信する。
【００３８】
移動型広告装置は、電子ペーパー上に店の広告を表示する（ステップ４０７）。取得した店の広告が複数の場合、そのうちの１つを選択して電子ペーパー上に表示する。この電子ペーパーは、軽量で薄型である上に折り曲げることができるため、衣服、カバンまたはその他身に付けることが可能な物品に内嵌させることができる。このように、移動型広告方法４００の製品は身に付けることができる。
【００３９】
また、ステップ４０７を行う前に、店の広告を取得するか否かを判断する（ステップ４０６）。店の広告が取得されない場合、移動型広告装置の保存ユニットから予備保存広告を取得し、電子ペーパー上に表示する（ステップ４０８）。ステップ４０２において測位信号が取得できない場合、ステップ４０４でも店の広告を取得することができない。
【００４０】
取得した店の広告を電子ペーパー上に表示する（ステップ４０７）。また、取得した店の広告は、予備保存広告として移動型広告装置の保存ユニットに保存し、店の広告が取得できないときに利用する。
【００４１】
また、移動型広告装置の現在位置に基づき、店方向または現在距離をサーバから取得する（ステップ４１０）。ここで、店方向とは店の所在地方向を表し、現在距離とは移動型広告装置から店までの距離を表す。
【００４２】
続いて、移動型広告装置の電子ペーパー上に店方向または現在距離を表示する（ステップ４１２）。そのため、電子ペーパー上に表示された店方向および現在距離に従うと店に行くことができる。
【００４３】
（第３実施形態）
図３を参照する。図３は、本発明の第３実施形態による移動型広告方法を示す流れ図である。この移動型広告方法５００では、サーバが移動型広告装置の現在位置に対応した店の広告を移動型広告装置へ送信し、移動型広告装置により店の広告を表示する。サーバが行う移動型広告方法５００は、以下のステップを含む。
【００４４】
少なくとも１つの移動型広告装置の現在位置を受信する（ステップ５０４）。この移動型広告方法５００は、移動型広告装置の現在位置を無線通信により受信する。また、ステップ５０４を行う前に、電子ペーパーを有する電子装置を検出し、検出した電子装置を移動型広告装置として増やす。
【００４５】
移動型広告装置の現在位置に基づき、サーバの保存ユニットから移動型広告装置の現在位置に対応した少なくとも１つの店の少なくとも１つの広告を選択する（ステップ５０６）。サーバの保存ユニット中に保存した広告情報を予め取得し、保存ユニット中に増やしておく。さらに詳細には、サーバにより光ディスク装置、インターネットまたはその他のデータ転送方式により広告情報を予め取得して保存ユニット中に保存しておく。
【００４６】
移動型広告装置へ店の広告を送信する（ステップ５０８）。移動型広告装置は、店の広告を受信すると、電子ペーパー上に表示する。
【００４７】
移動型広告装置の作業情報を記録する（ステップ５１２）。この移動型広告装置の作業情報は、識別情報、移動ルート、表示した広告数およびそのリスト、広告の表示累計時間、各広告を表示したエリアまたはその他作業に関する情報、を含む。このように、サーバに移動型広告方法５００を応用するとき、記録した作業情報に基づき、店に請求する広告宣伝費用を計算したり、移動型広告装置を身に付けて広告の仕事を行った従業員の給料を計算したりすることができる。
【００４８】
ステップ５１４において、ユーザインタフェースから取得したセレクト信号に基づき、移動型広告装置へ送信する特定の広告を保存ユニットから選択する。このように、移動型広告装置の電子ペーパー上に特定の広告を表示する。
【００４９】
ステップ５１６において、ユーザインタフェースから広告編集信号を取得し、この広告編集信号に基づき、保存ユニット中に保存された店の広告を編集する。つまり、ユーザは、ユーザインタフェースを介し、保存ユニットに保存した広告の編集（例えば、削除または修正）を行うことができる。
【００５０】
ステップ５１８において、ユーザインタフェースから取得した装置編集信号に基づき、移動型広告装置の作業情報の編集（例えば、削除または修正）を行う。つまり、ユーザは、ユーザインタフェースを介して移動型広告装置の作業情報を編集し、移動型広告装置を管理することができる。
【００５１】
さらに、店の広告を選択した後、移動型広告装置の現在位置および広告を行う店の所在地情報に基づき、店方向または現在距離を生成して移動型広告装置へ送信する（ステップ５１０）。ここで、店方向とは店の所在地方向を表し、現在距離とは移動型広告装置から店までの距離を表す。このように、移動型広告方法５００を応用するサーバは、移動型広告装置が店方向または現在距離を演算する必要がないため、移動型広告装置として簡単なマイクロプロセッサを採用することができる。
【００５２】
上述の実施形態から分かるように、本発明は以下の長所を有する。本発明の移動型広告装置は、その現在位置に応じた店の広告を表示することができる。また、この移動型広告装置は、衣服、カバンまたはその他身に付けることが可能な物品に電子ペーパーを内嵌させ、広告を表示することができる。このように、本発明は移動型広告装置を身に付けて歩くだけで、移動型広告看板の効果を得ることができる。
【００５３】
以上、本発明を実施の形態を用いて説明したが、本発明の技術的範囲は上記実施の形態に記載の範囲には限定されない。上記実施の形態に、多様な変更または改良を加えることができることは当業者に明らかである。その様な変更または改良を加えた形態も本発明の技術的範囲に含まれ得ることが、特許請求の範囲の記載から明らかである。
【符号の説明】
【００５４】
１００  移動型広告装置、１１０  電子ペーパー、１１１  店の広告、１１２  店方向、１１３  現在距離、１２０  表示制御ユニット、１３０  測位ユニット、１４０  無線通信ユニット、１５０  処理ユニット、１５１  広告モジュール、１５２  方向モジュール、１５３  距離モジュール、１５４  選択モジュール、１５５  予備保存モジュール、１６０  保存ユニット、２００  サーバ、２１０  保存ユニット、２２０  無線通信ユニット、２３０  処理ユニット、２３１  広告生成モジュール、２３２  方向生成モジュール、２３３  距離生成モジュール、２３４  増加モジュール、２３５  セレクトモジュール、２３６  編集モジュール、２４０  記録ユニット、２５０  ユーザインタフェース、３００  衣服、４００  移動型広告方法、５００  移動型広告方法
【図１】
2010164928.tif 000003
【図２】
2010164928.tif 000004
【図３】
2010164928.tif 000005